(57)【特許請求の範囲】
【請求項１】
被検体を載置する少なくとも起倒動の可能な寝台装置を備えるＸ線診断装置において、
前記寝台装置に設けられた把手と、
前記把手に設けられた発光手段と、
前記発光手段をオペレータの操作に基づいて選択的に発光させるための発光信号を供給
する発光信号供給手段を有する前記寝台装置を遠隔制御する制御装置と、
を有するＸ線診断装置。
【請求項２】
前記寝台装置は、前記被検体を支えるための左右方向を示す複数の発光手段を有するフ
ットレストを有し、
前記発光信号供給手段は、前記把手に設けられた発光手段及び前記フットレストに設け
られた左右方向を示す複数の発光手段に対して、連動するように左右方向を選択して発光
信号を送出する請求項１記載のＸ線診断装置。
【請求項３】
前記被検体による前記把手の把握状態を検知する検知手段と、
前記検知手段からの検知信号に基づき前記把手が把握されているか否かを表示する表示
手段と、
を更に有する請求項１又は２記載のＸ線診断装置。
【請求項４】
前記検知手段は、把握の強さに応じた検知信号を発する圧力センサであり、
前記表示手段は、前記検知信号に応じて表示内容が変化するものである請求項３記載の
Ｘ線診断装置。
【発明の詳細な説明】
【技術分野】
【０００１】
本発明は、被検体を載置する少なくとも起倒動の可能な寝台装置を備え、被検体に照射
したＸ線に基づくＸ線画像を得て、疾病などの診断に供するＸ線診断装置に関する。
【背景技術】
【０００２】
Ｘ線診断装置には、診断目的に応じて種々のものがあり、例えば胃などの消化器系の診
断に適したもの、心臓や脳の血管など循環器系の診断に適したもの、腰や脚などの骨の診
断に適したもの等々である。これら種々のＸ線診断装置にあって、患者すなわち被検体は
、通常Ｘ線診断装置の寝台装置に載せられた状態でＸ線撮影を受けることになる。ただし
、寝台装置の上面には前後または左右にスライド可能な天板が備えられており、被検体は
この天板に載置されるとともに、天板を前後、左右にスライドさせることによって、被検
体を所望の撮影位置に合わせている。また、消化器系のＸ線診断装置では、寝台装置自体
が起倒するように駆動されるのが一般的である。
【０００３】
ところで、寝台装置の上面と天板の下面との間に若干の隙間があるため、撮影位置に合
わせるために天板を移動させたときに、この隙間に天板上に寝ている被検体の手や指を挟
むおそれがあり、その防止策として、天板の両側に設置されている握り棒（把手）に、被
検体がこの握り棒を握っていることを検出する検出器を設け、握っていることが検出され
ないときには寝台装置の駆動動作を禁止するようにしたものが提案されている（例えば、
特許文献１参照。）。
【先行技術文献】
【特許文献】
【０００４】
【特許文献１】特開平７−２９９０６３号公報
【発明の概要】
【発明が解決しようとする課題】
【０００５】
ところで、特に消化器系の診断に使用されるＸ線装置は、寝台装置を起倒させたり、或
いは揺動させたりしてＸ線撮影を実施することが多いので、前述の握り棒（把手）を被検
体がしっかり握っていることは、被検体の手や指を挟むことを防止するだけではなく、寝
台装置からの転落を防止するためにも重要な役割を担っている。その意味からは、単に握
っているか否かの検出だけではなく、十分しっかりした力で握っているか、或いは軽く握
っているだけなのかを、医師や技師などのＸ線診断装置を操作するオペレータ側で判断で
きることが重要であるが、従来の技術ではその検出が十分とは言えなかった。
【０００６】
また、Ｘ線撮影の実施中に、被検体に右を向いたり左を向いたりしてもらうように、体
位の移動を指示することがあるが、その場合、どちら側の握り棒（把手）を握るのかをス
ピカーなどを通してオペレータが口頭で指示しているものの、視覚的な指示ができないと
いう不便があった。特に聴覚に障害を持っているような患者に対しては、視覚的な指示が
できるようにしたいとの強い要望がある。
【０００７】
本発明はこのような課題の解決と要望に応えることを目的になされたものである。
【課題を解決するための手段】
【０００８】
上述の課題を解決するため、請求項１に記載の発明は、被検体を載置する少なくとも起
倒動の可能な寝台装置を備えるＸ線診断装置において、前記寝台装置に設けられた把手と
、前記把手に設けられた発光手段と、前記発光手段をオペレータの操作に基づいて選択的
に発光させるための発光信号を供給する発光信号供給手段を有する前記寝台装置を遠隔制
御する制御装置と、具備することを特徴とする。
【０００９】
また、請求項２に記載の発明は、請求項１に記載のＸ線診断装置において、前記寝台装
置は、前記被検体を支えるための左右方向を示す複数の発光手段を有するフットレストを
有し、前記発光信号供給手段は、前記把手に設けられた発光手段及び前記フットレストに
設けられた左右方向を示す複数の発光手段に対して、連動するように左右方向を選択して
発光信号を送出することを特徴とする。
【００１０】
また、請求項３に記載の発明は、請求項１又は２に記載のＸ線診断装置において、前記
被検体による前記把手の把握状態を検知する検知手段と、前記検知手段からの検知信号に
基づき前記把手が把握されているか否かを表示する表示手段と、を更に有することを特徴
とする。
【００１１】
また、請求項４に記載の発明は、請求項３に記載のＸ線診断装置において、前記検知手
段は、把握の強さに応じた検知信号を発する圧力センサであり、前記表示手段は、前記検
知信号に応じて表示内容が変化するものであることを特徴とする。
【発明の効果】
【００１２】
上記課題を解決するための手段の項にも示したとおり、本発明の特許請求の範囲に記載
する各請求項の発明によれば、次のような効果を奏する。
【００１３】
請求項１に記載の発明によれば、把手を選択的に発光させることにより、被検体に対し
て検査中の体位の変更などを指示することができる。特に、被検体が難聴者のように、音
声での指示では伝達が不明瞭になるような場合でも正確に指示を伝えることができる。ま
た、被検体に右を向いたり左を向いたりするように指示する場合、検査を受けるために緊
張している被検体が左右を取り違えるような混乱を抑制して、検査をスムースに行うこと
ができるようになる。
【００１４】
請求項２に記載の発明によれば、把手の他にフットレストにも左右方向を示す矢印など
を設け、両方の発光手段を連動させて発光させることにより、より確実に指示を被検体に
知らせることができる。
【００１５】
請求項３に記載の発明によれば、寝台装置に載置された被検体が、把手を握っているか
否かを医師や技師などのオペレータが確認できるので、安全に寝台装置の起倒動作を行う
ことができる。同時に、予め被検体と約束した指示事項を、両側の把手を選択的に発光さ
せることによって、オペレータから被検体へ伝えることができる。
【００１６】
請求項４に記載の発明によれば、被検体が把手を把握している強さの程度が表示される
ので、より安全性を向上することができる。
【図面の簡単な説明】
【００１７】
【図１】本発明に係るＸ線診断装置の一実施例の概略的な外観斜視図である。
【図２】本発明に係るＸ線診断装置の機能を説明するために示したブロック図である。
【図３】本発明に係るＸ線診断装置の寝台装置に備えられる把手の一実施例を示した斜視図である。
【図４】本発明に係るＸ線診断装置の寝台装置に備えられるフットレストの一実施例を示した斜視図である。
【発明を実施するための形態】
【００１８】
以下、本発明に係るＸ線診断装置の一実施例について、図１ないし図４を参照して詳細
に説明する。なおこれらの図において、同一部分には同一符号を付して示してある。
【００１９】
図１は、本発明の一実施例を説明するために示した、主に消化器系の診断に適用される
Ｘ線診断装置の概略的な外観斜視図であり、先ずこの図１を参照しながら、Ｘ線診断装置
の全般的な構成について説明する。
【００２０】
このＸ線診断装置は、撮影室の床面に固定された基台１に立設された支持体２と、この
支持体２に起倒可能に支持された寝台装置３と、同じく支持体２に傾動可能に支持された
撮影装置４とを備えている。また、これら支持体２、寝台装置３および撮影装置４の駆動
や、Ｘ線の照射条件の設定などを遠隔的に制御するための制御装置５が操作室側に設けら
れている。なお図１には、支持体２によって寝台装置３が水平状態に保持されているとと
もに、撮影装置４が寝台装置３に対して垂直方向に保持されている様子が示されている。
【００２１】
寝台装置３の上面には、被検体を載置する天板３１が設けられている。この天板３１は
寝台装置３本体に対して左右方向（幅方向）に所定範囲にわたってスライド可能に駆動さ
れるようになっている。また天板３１の両側部には、載置された被検体が両手で握るため
の把手３２が設けられており、天板３１の長手方向の下部には、寝台装置３が立位状態に
なった際に被検体の足を支えるフットレスト３３が、さらに天板３１の長手方向の上部に
は、寝台装置３が逆傾斜状態になった際に被検体の肩を支えるショルダーレスト３４が夫
々備えられている。そして、天板３１の右端部（すなわち、支持体２側）には、上方に突
出するように保護板３５が天板３１の長さ方向にわたって設けられている。
【００２２】
一方、撮影装置４は、支柱４１の一端側にＸ線を照射するＸ線管４２と、支柱４１の他
端側にＸ線を受けて可視像に変換するイメージインテンシファイアＩ．Ｉ．）４３とを、
寝台装置３を挟んで対向するように備えており、イメージインテンシファイア４３で変換
された可視像を、テレビ映像にするテレビカメラ４４も備えている。
【００２３】
次に、本発明の目的を達成するために、本発明に係るＸ線診断装置の有する機能につい
て、図２に示したブロック図を参照して説明する。
【００２４】
寝台装置３の天板３１の両側部に設けられている把手３２には、発光ダイオード（以下
、ＬＥＤと記載する。）３２２と圧力センサ３２３がそれぞれ設けられている。また、天
板３１の長手方向の下部に設けられるフットレスト３３には、左右方向に向けた矢印３３
２、３３３が設けられていて、この矢印３３２、３３３にもそれぞれＬＥＤが組み込まれ
ている。そして、把手３２のＬＥＤ３２２とフットレスト３３の矢印３３２、３３３のＬ
ＥＤは、制御部５に設けられている発光信号供給スイッチ５１を、オペレータが操作する
ことによって発光する。なお発光信号供給スイッチ５１には、左側の発光用と右側の発光
用との２つのスイッチが備えられている。
【００２５】
ここで、左側の把手３２のＬＥＤ３２２とフットレスト３３の左向きの矢印３３２のＬ
ＥＤは、並列に接続されており、一方、右側の把手３２のＬＥＤ３２２とフットレスト３
３の右向きの矢印３３３のＬＥＤも並列に接続されている。従って、オペレータが、左側
の把手３２のＬＥＤ３２２と左向きの矢印３３２を発光すべく発光信号供給スイッチ５１
の左側用スイッチを投入すると、制御装置５からこの左側の把手３２のＬＥＤ３２２と左
向きの矢印３３２に発光信号として電圧が供給されることにより左側の把手３２のＬＥＤ
３２２と矢印３３２が発光する。逆に、発光信号供給スイッチ５１の右側用スイッチを投
入すると、制御装置５からこの右側の把手３２の右向きのＬＥＤ３２２と矢印３３３に発
光信号として電圧が供給されて、右側の把手３２のＬＥＤ３２２と矢印３３３が発光する
。
【００２６】
そこで、予め被検体に対して、左側の把手３２とフットレスト３３の左向きの矢印３３
２が発光したときは体を左に向け、右側の把手３２と右向きの矢印３３３が発光したとき
は体を右に向けるように指示しておくことによって、オペレータの指示を把手３２とフッ
トレスト３３の矢印３３２、３３３の発光によって、確実に被検体へ伝えることができる
ようになる。往々にして音声での指示では、被検体が緊張している場合など、左右を取り
違えてしまうことがあり、検査を遅らせることになりかねないが、音声とともに視覚に訴
える指示を与えることによって、間違いを極めて軽減することとなり、検査のスピードア
ップに寄与できることになる。
【００２７】
また、把手３２に設けられている圧力センサ３２３は、被検体がこの把手３２を握って
いることを検知するためのものであり、圧力センサ３２３からの検知信号によって点灯す
る表示器５２が制御装置５に設けられている。すなわち、被検体がこの把手３２を握るこ
とによって、圧力センサ３２３がその力を検知し、その検知信号を制御装置５へ送出する
。制御装置５には圧力センサ３２３からの検知信号を受けて点灯する表示器５２が設けら
れているので、オペレータはこの表示器５２の点灯の有無によって、被検体が把手３２を
握っているかどうかを判断することができる。
【００２８】
なお、表示器５２は両方の把手３２の圧力センサ３２３毎に設けるか、または両方の圧
力センサ３２３が共に所定の強さで握られたことを示す信号を受けて点灯するもの１つで
あっても良い。さらに、表示器５２を検知信号の強弱に応じて段階的に点灯するようにし
ておけば、握り方が不足しているか、しっかり握っているかがオペレータ側で判断できる
ので、握り方が不足している場合には、被検体へ把手３２をしっかり握るように指示を与
えることができる。また、被検体が把手３２を握っていなかったり、握り方が弱かったり
する場合は、この信号に基づき寝台装置３の起倒動などの動作を禁止して安全を確保する
ようにすることもできる。
【００２９】
次に、天板３１の両側部に設けられる把手３２の具体的な実施例について説明する。図
３は把手３２の一実施例を示した斜視図であり、図３（ａ）は把手３２の表面側を示した
斜視図、図３（ｂ）は把手３２の裏面側を示した斜視図である。
【００３０】
把手３２は例えば光透過性のアクリル樹脂を材料として棒状に形成されており、長手方
向の両端に、天板３１に取り付けるための取り付け具３２１が設けられている。また、把
手３２を天板３１に取り付けた状態で被検体の手でしっかり握ることができるように、把
手３２は天板３１の表面に対して十分な隙間を形成する  ように取り付けられる。そして
、この把手３２の内部または端部に所望の光を発するＬＥＤ３２２が設置されている。
【００３１】
なお、把手３２は必ずしも光透過性のアクリル樹脂を材料としたものでなくてもよく、
把手３２の一部を長手方向に切欠してその切欠部にＬＥＤ３２２を埋め込んだものとして
も良い。このような把手３２でも、ＬＥＤ３２２を点灯して被検体に対して体を向ける方
向の指示を与えることが可能となる。そして圧力センサ３２３は、圧力変化を高精度に検
出することのできる例えば導電性ゴムや半導体薄膜材料などを、把手３２の表面に長手方
向に沿ってコーティングして形成されている。
【００３２】
次に、フットレスト３３について説明する。図４はフットレスト３３の一実施例を斜視
図で示したものである。このフットレスト３３には、天板３１に取り付けるための一対の
取り付け具３３１が設けられている。また、フットレスト３３には、図２で説明したとお
り、左向きの矢印３３２と右向きの矢印３３３が設けられており、各矢印３３２、３３３
部分には、把手３２と同様にＬＥＤが内蔵されている。
【００３３】
以上詳述したように本発明によれば、検査を受ける被検体が把手３２をしっかり握って
いるかどうかを、操作室に居るオペレータが表示器５２の点灯状態によって確実に確認で
きるようになる。通常、Ｘ線診断装置によってＸ線画像を撮影する際に、天板３１の長手
方向に沿って載置された被検体は、把手３２を両手でしっかり握るように指示されるが、
握っていなかったり握り方が弱かったりする場合があり、このような状態を見過ごして寝
台装置３を起倒させると被検体が寝台装置３ら落下する危険を伴うことになるが、把手３
２の握り状態を操作室側で確認しながらＸ線診断装置を操作することにより、安全性が極
めて向上される。
【００３４】
また、消化器系の撮影に際して、寝台装置３上で被検体に体の向きを変えてもらうよう
な場合に、把手３２の一方やフットレスト３３の矢印３３２、３３３を発光させることに
よって、左を向いたり右を向いたりする指示を確実に伝えることができるようになる。よ
ってＸ線撮影に要する時間を短縮でき、被検体はもとよりスタッフの負担も軽減すること
ができる。また、聴覚に障害を持っているような患者に対しても十分指示を伝えることが
可能となる。
【符号の説明】
【００３５】
５  制御部
３１  天板
３２  把手
３３  フットレスト
５１  発光信号供給スイッチ
５２  表示器
３２２  発光ダイオード（ＬＥＤ）
３２３  圧力センサ
３３２、３３３  矢印
【図１】
0005580467.tif 000002
【図２】
0005580467.tif 000003
【図３】
0005580467.tif 000004
【図４】
0005580467.tif 000005